(57)【要約】【課題】  単独の信号線による信号入力時と、複数の信号線による信号入力時とで、受信手段をそれぞれ最適な方式に切り換えることにより正確な信号受信が可能な電子機器を提供することを目的とする。【解決手段】  単独の信号線による信号入力時は受信手段を非差動とし出力機器との不定電位差をおさえ、複数の信号線による信号入力時はひとつの信号線の受信手段を非差動とし他の信号線の受信手段を差動とし信号線間の相互妨害を低減するよう構成。【選択図】  図１
2007036704.tif 000002
【特許請求の範囲】
【請求項１】
複数の信号線により信号を入力可能な電子機器であって、
信号線の接続を検出する検出手段と、
他の信号線の信号を受信する複数の受信手段をもち、
前記検出手段の検出結果に基づいて
他の信号線の受信手段を切り換える切り換え手段とを
有することを特徴とする電子機器。
【請求項２】
前記切り換え手段は、前記信号線の接続が検出されたときに、
前記他の信号線より信号を受信する受信手段を差動入力とする
請求項1記載の電子機器。
【請求項３】
前記切り換え手段は、前記信号線の接続により制御するか、ユーザが制御するかを選択可能に構成した
請求項1記載の電子機器。
【請求項４】
前記検出手段は、前記信号線と前記他の信号線における接地側端子間の接続により検出するよう構成した
請求項1記載の電子機器。
【発明の詳細な説明】
【技術分野】
【０００１】
本発明は、信号入力装置に関する。特に、複数もしくは単独の信号線で接続される機器間の信号入力装置に関する。
【背景技術】
【０００２】
特許文献1(ピンジャック エムデン無線工業株式会社)には、
「シャーシと接地側端子との電位が等しくなる」
ピンジャックが記載されている。
【０００３】
特許文献2(デジタルオーディオ機器 株式会社ケンウッド)には、
「デジタルオーディオインタフェース同軸出力端子に外部機器が接続されていないときの検出回路の出力に基づいてデジタルオーディオインタフェース同軸出力端子のコールド側をシャーシアースし、かつデジタルオーディオインタフェース同軸出力端子に外部機器が接続されているときの検出回路の出力に基づいてデジタルオーディオインタフェース同軸出力端子のコールド側をシャーシアースから開放するスイッチ手段とを備えたことを特徴とするデジタルオーディオ機器」
が記載されている。
【０００４】
従来の技術の形態について、アナログ音声映像入力装置を例に挙げ、図6を用いて以下に説明し、発明が解決しようとする課題についても説明する。
【０００５】
図6において1は信号入力装置に接続される出力機器、2は出力機器のシャーシ、3は映像信号送信手段、4は映像信号出力端子、5は映像信号線、6は音声信号送信手段、7は音声信号出力端子、8は音声信号線、A1は映像信号入力端子、9は出力機器の電源、A2は映像信号終端抵抗、A3は映像信号受信手段、B1は音声信号入力端子、B3は音声信号受信手段、D1は信号入力装置を備える入力機器、D2は入力機器のシャーシ、D3は入力機器の電源、11は供給電流、12は映像出力電流、13は映像往路電流、14は映像入力電流、15は映像流出電流、16は映像復路電流、17は映像流入電流、18は消費電流、21は入力機器のシャーシ電流、22は映像漏洩電流、23は出力機器のシャーシ電流、31は電源経由電流、32は音声流入電流である。
【０００６】
出力機器1における映像信号送信手段3は、電源9からの供給電流11を映像出力電流12として送信する。映像出力電流12は映像信号出力端子4を介して通常同軸線構造の映像信号線5の芯線側へ映像往路電流13として流出し、映像信号入力端子A1を介して入力機器D1の映像入力電流14として流入する。入力機器D1の内部では映像信号終端抵抗A2を流れ、その両端電圧が映像信号受信手段A3にて受信されるとともに、入力機器1の映像流出電流15となる。映像流出電流15は映像信号入力端子A1を介し映像信号線5の接地側へ映像復路電流16として流出し、映像信号出力端子5を介して出力機器1の映像流入電流17となる。映像流入電流17は消費電流18として電源9へと戻る。
【０００７】
このとき映像信号線5とともに通常同軸線構造の音声信号線8が接続されていて、映像出力端子4と音声出力端子7と映像入力端子A1と音声入力端子B1のすべてが、特許文献1記載のピンジャックの如く接地側端子がシャーシと同電位となっている場合、入力機器1の映像流出電流15は映像復路電流16と入力機器のシャーシ電流21に分流し、音声入力端子B1を介して音声信号線8の接地側へ映像漏洩電流22としても流出し、出力機器のシャーシ電流23となり映像流入電流17へ合流し消費電流18として電源9へと戻る。
【０００８】
また、映像出力端子4と音声出力端子7と映像入力端子A1と音声入力端子B1の接地側端子の構造がシャーシと同電位にならないものであっても、入力機器D1では電源D3のマイナス、出力機器1では電源9のマイナスにより接地側が接続されているため、映像入力電流14が電源経由電流31へも分流し、音声信号線8の接地側へ映像漏洩電流22として流出し、音声流入電流32となり消費電流18として電源9へと戻る。
【０００９】
このとき音声信号線8の接地側には映像漏洩電流22が流れるが、芯線側には流れない。通常信号線の抵抗値はゼロではないため、音声信号線8の接地側の両端には映像漏洩電流22と信号線抵抗値による電位差が生じるが、芯線側は映像漏洩電流22が流れないためこの電位差は生じない。またこの電位差は信号線抵抗値にも依るため、信号線の長さや品位により増減する。
【００１０】
このため入力機器D1の音声信号受信手段B3は映像漏洩電流22と信号線抵抗値により電位差の生じた接地側を基準とし、電位差の生じない芯線側の信号を受信することとなり、正確な信号受信ができない。
【００１１】
特許文献1は「シャーシと接地側端子との電位が等しくなる」ピンジャックであるが、このピンジャックを使用した出力機器と入力機器において機器間が複数の信号線が接続されている場合、信号線と他の信号線の接地側端子は入出力機器ともシャーシを介して接続され同電位となるため、信号線の接地側を流れる電流は他の信号線の接地側も流れることになり、本発明が解決しようとする課題をもつ。
【００１２】
また入力機器においては接地側端子がシャーシに接続されるため、本発明のように受信手段を差動入力とすることができない。
【００１３】
また、特許文献1記載のピンジャックを使用しない場合であっても、複数の信号線の接地側端子が機器内部で接続されていて電位が等しくなっている機器間では、同様に信号線の接地側を流れる電流は他の信号線の接地側も流れることになり、本発明が解決しようとする課題をもつ。
【００１４】
特許文献2は
「デジタルオーディオインタフェース同軸出力端子に外部機器が接続されていないときの検出回路の出力に基づいてデジタルオーディオインタフェース同軸出力端子のコールド側をシャーシアースし、かつデジタルオーディオインタフェース同軸出力端子に外部機器が接続されているときの検出回路の出力に基づいてデジタルオーディオインタフェース同軸出力端子のコールド側をシャーシアースから開放するスイッチ手段とを備えたことを特徴とするデジタルオーディオ機器」
であり、出力端子においてコールド側(本発明の接地側と同義)をシャーシアースに接続するしないを切り換えているが、本発明では入力機器における受信手段を切り換えるため、方式が異なる。
【００１５】
さらに特許文献2は
「グランドラインのループ形成を排除し、ラジエーションを低減させたデジタルオーディオ機器を提供することを目的」
としているのに対し、本発明は
「単独の信号線による信号入力時と、複数の信号線による信号入力時とで、受信手段をそれぞれ最適な方式に切り換えることにより正確な信号受信が可能な電子機器を提供することを目的とする」
ため目的も異なる。
【特許文献１】特開平02-132778(ピンジャック エムデン無線工業株式会社)
【特許文献２】特開平07-142952(デジタルオーディオ機器 株式会社ケンウッド)
【発明の開示】
【発明が解決しようとする課題】
【００１６】
特許文献1は外来および内部からのノイズ対策を目的とし、シャーシと接地側端子との電位が等しくなるよう構成したものである。
【００１７】
「特許文献1の構成を使用した機器間」もしくは「複数の信号線の接地側端子が機器内部で接続されていて電位が等しくなっている機器間」が複数の信号線により接続された場合に、信号線と他の信号線の信号電流が両方の接地側を流れることに起因する相互妨害が発生し、正確な信号受信ができなかった。
【００１８】
本発明は、単独の信号線による信号入力時と、複数の信号線による信号入力時とで、受信手段をそれぞれ最適な方式に切り換えることにより正確な信号受信が可能な電子機器を提供することを目的とする。
【課題を解決するための手段】
【００１９】
本発明は、複数もしくは単独の信号線により信号を入力可能な電子機器であって、
信号線の接続を検出する検出手段と、
他の信号線より信号を受信する受信手段をもち、
前記検出手段の検出結果に基づいて、
他の信号線の受信手段を切り換える切り換え手段とを
有することを特徴とする電子機器である。
【発明の効果】
【００２０】
〔請求項1〕
[効果]  複数の信号線入力に対して、単独の信号線接続時、複数の信号線接続時、それぞれに最適化した受信手段に切り換え可能となり、正確な信号受信が可能となる。
【００２１】
[理由]  単独の信号線が接続された状態と比較し、複数の信号線が接続された状態は相互に信号に妨害を発生するが、受信手段を最適な方式に切り換えることによりこの妨害が軽減される。
【００２２】
〔請求項2〕
[効果1]  信号線より入力された信号が、他の信号線にあたえる妨害が低減され、正確な信号受信が可能となる。
【００２３】
[理由1]  信号線の接地側に流れる信号電流が、他の信号線の接地側を流れなくなるため
[効果2]  他の信号線のみが単独で接続された場合にも正確な信号受信が可能となる。
【００２４】
[理由2]  他の信号線の受信手段を差動入力としただけでは、他の信号線のみが単独で接続された場合に機器間の接地電位差が不定となり正確な受信ができなくなるおそれがあるが、信号線の接続が非検出時に受信手段を非差動に切り換えることにより機器間の接地電位が同電位になり正確な信号受信が可能となる。
【００２５】
〔請求項3〕
[効果1]  信号線、他の信号線にそれぞれ別の機器を接続した場合であっても、ユーザの手動設定により正確な信号受信が可能となる。
【００２６】
[理由1]  信号線に接続される機器と、他の信号線に接続される機器が別の場合、他の信号線に接続された機器と受信手段との接地電位差が不定となるため正確な信号受信ができなくなるおそれがある。ユーザが他の信号線の受信手段を非差動に切り換えることによりこれを回避できる。
【００２７】
[効果2]  他の信号線の接地側が断線故障をした場合でも、ユーザの手動設定により受信が可能になる。
【００２８】
[理由2]  他の信号線の接地側が断線故障をした場合、差動入力の受信手段では受信できなくなるが、ユーザの手動により非差動に切り換えることにより信号線の接地電位を基準とした非差動受信が可能になる。
【００２９】
〔請求項4〕
[効果1] 信号線、他の信号線にそれぞれ別の機器を接続した場合であっても、それを自動的に検出し正確な信号受信が可能となる。
【００３０】
[理由1] 信号線に接続される機器と、他の信号線に接続される機器が別の場合、他の信号線に接続された機器と受信手段との接地電位差が不定となるため正確な信号受信ができなくなるおそれがあるが、検出手段が信号線と他の信号線の接地側端子が接続されていないことを検出することによりこれを検出可能となり、他の信号線の受信手段を非差動に切り換え正確な信号受信が可能になる。
【００３１】
[効果2]  他の信号線の接地側が断線故障をした場合でも受信が可能になる。
【００３２】
[理由2]  他の信号線の接地側が断線故障をした場合、差動入力の受信手段では受信できなくなるが、検出手段が信号線と他の信号線の接地側端子が接続されていないことを検出することによりこれを検出可能となり、他の信号線の受信手段を非差動に切り換え、信号線の接地電位を基準とした非差動受信が可能になる。
【発明を実施するための最良の形態】
【００３３】
以下、本発明の実施の形態について説明する。
【００３４】
本発明の信号入力装置は、アナログ音声映像入力装置、デジタル音声映像入力装置、アナログデジタル入力装置、複数信号入力装置などを包含しており、
特に、アナログ音声映像入力装置は、映像信号の入力電流が大きいにもかかわらず音声信号は低雑音で正確な信号受信が望まれているという点から本発明が適用される好ましい形態である。
【００３５】
本発明の実施の形態について、まず、アナログ音声映像入力装置を例に挙げ、図1を用いて以下に具体的に説明する。
【００３６】
図1において
1は本発明の信号入力装置に接続される既存の出力機器。
【００３７】
2は既存の出力機器のシャーシ。
【００３８】
3は既存の出力機器における映像信号送信手段。
【００３９】
4は既存の出力機器における映像信号出力端子。
【００４０】
5は既存の映像信号線。
【００４１】
6は既存の出力機器における音声信号送信手段。
【００４２】
7は既存の出力機器における音声信号出力端子。
【００４３】
8は既存の音声信号線。
【００４４】
9は既存の出力機器の電源。
【００４５】
A1は例えばピンジャック、BNCコネクタなどで構成される映像信号入力端子であって、特に、A1はピンジャックであることが既存の民生機器とのコンポジット映像信号線による接続性の点で好ましい。
【００４６】
A2は例えば75Ω、50Ωなどの抵抗値をもつ映像信号終端抵抗であって、特に、A2の抵抗値は75Ωであることが既存の映像信号線とのインピーダンス整合の点で好ましい。
【００４７】
A3は例えば入力セレクタ、映像信号処理ICなどの映像信号受信手段。
【００４８】
B1は例えばピンジャック、BNCコネクタなどで構成される音声信号入力端子であって、特に、B1はピンジャックであることが既存の民生機器の音声信号線との接続性の点で好ましい。
【００４９】
B2は例えば半導体スイッチ、リレーなどからなる差動非差動切り換え手段であって、特に、B2は半導体スイッチで構成されることが消費電流、コスト、基板実装面積の点で好ましい。
【００５０】
B3は例えばオペアンプ、トランス、入力セレクタ、音声信号処理ICなどで構成される音声信号受信手段であって、特に、B3はオペアンプで構成されることがコストや基板実装面積の点で好ましい。
【００５１】
C1は例えばスイッチ付きピンジャックにおけるスイッチ回路、同期検出回路などで構成される映像信号接続検出手段。
【００５２】
D1は本発明の信号入力装置を備える入力機器。
【００５３】
D2は入力機器のシャーシ。
【００５４】
D3は入力機器の電源。
【００５５】
以下、具体的な実施例を挙げて本発明を詳しく説明する。
【実施例１】
【００５６】
図1は本発明による第１の実施の形態におけるアナログ音声映像入力装置と、接続されたアナログ音声映像出力装置の回路の概略図である。
【００５７】
図1において1は本発明の信号入力装置に接続される出力機器、2は出力機器のシャーシ、3は映像信号送信手段、4は映像信号出力端子、5は映像信号線、6は音声信号送信手段、7は音声信号出力端子、8は音声信号線、9は出力機器の電源、A1は映像信号入力端子、A2は映像信号終端抵抗、A3は映像信号受信手段、B1は音声信号入力端子、B2は差動非差動切り換え手段、B3は音声信号受信手段、C1は映像信号接続検出手段、D1は本発明の信号入力装置を備える入力機器、D2は入力機器のシャーシ、D3は入力機器の電源である。
【００５８】
出力機器1における電源9から映像信号送信手段3により送信された映像信号電流は、映像信号出力端子4を介して通常同軸線構造の映像信号線5の芯線側へ流出し、映像信号入力端子A1を介して入力機器D1へと流入する。入力機器D1の内部では映像信号終端抵抗A2を流れ、その両端電圧が映像信号受信手段A3にて受信されるとともに、入力機器1から映像信号入力端子A1を介し映像信号線5の接地側へ流出し、映像信号出力端子5を介して出力機器1へ流入し、消費電流として電源9へと戻る。
【００５９】
このとき通常スイッチ付きピンジャックや映像信号同期検出などで構成される映像信号接続検出手段C1により映像信号の入力が検出され、差動非差動切り換え手段B2が開放され、音声信号受信手段B3が差動入力となる。
【００６０】
これにより、映像信号線5とともに通常同軸線構造の音声信号線8が接続されていて、映像出力端子4と音声出力端子7と映像入力端子A1が、特許文献1記載のピンジャックの如く接地側端子がシャーシと同電位となっている場合であっても、入力機器1から流出する映像信号電流は音声入力端子B1を介して音声信号線8の接地側へも流出することがなくなる。
【００６１】
また、入力機器D1における電源D3のマイナス、出力機器1における電源9のマイナスを経由し映像信号電流が音声信号線8を流れることもなくなる。
【００６２】
このとき音声信号線8は、接地側芯線側ともに映像信号電流が流れないため、接地側芯線側ともに両端には映像信号電流と信号線抵抗値による電位差が生じない。またこの電位差が信号線の長さや品位により増減することもない。
【００６３】
このため入力機器D1の音声信号受信手段B3は映像信号電流と信号線抵抗値による電位差の生じない接地側を基準とし、電位差の生じない芯線側の信号を受信することとなり、正確な信号受信ができる。
【００６４】
また図2の如く、入力機器D1に音声信号線8のみが接続された場合は映像信号接続検出手段C1により映像信号が非検出となり、差動非差動切り換え手段B2が接続され、音声信号受信手段A3は非差動となる。これにより出力機器1と入力機器D1の電位差が同電位となり、音声信号受信手段A3は正確な信号受信ができる。
【実施例２】
【００６５】
図3は本発明による第2の実施の形態におけるアナログ音声映像入力装置と、接続されたアナログ音声映像出力装置の回路の概略図である。
【００６６】
映像信号接続検出手段C1の検出結果は入力機器を制御するCPU(E1)へ入力される。
【００６７】
映像信号入力端子A1に接続する出力機器とは別に、音声信号入力端子B1に音声信号出力機器F1を接続する場合、音声信号受信手段B3が差動であると音声信号出力機器F1と入力機器D2の接地電位差が不定となり正確な信号受信が出来なくなるおそれがあるが、ユーザが例えばリモコンなどでCPU(E1)に対し非差動を設定することにより、差動非差動切り換え手段B2が非差動に切り換えられ、正確な信号受信が可能となる。
【００６８】
また、映像信号入力端子A1と音声信号入力端子B1に同じ出力機器1を接続する場合であっても、音声信号線8の接地側が断線故障時には音声信号受信手段B3が差動であると信号受信が出来なくなるが、ユーザが例えばリモコンなどでCPU(E1)に対し非差動を設定することにより、差動非差動切り換え手段B2が非差動に切り換えられ、正確ではないながらも入力機器の接地電位を基準とした信号受信が可能となる。
【実施例３】
【００６９】
図4は本発明による第3の実施の形態におけるアナログ音声映像入力装置と、接続されたアナログ音声映像出力装置の回路の概略図である。
【００７０】
接地側端子間接続検出手段G1は、例えば入力機器の起動時に、差動非差動切り換え手段B2を開放した状態で音声信号入力端子B1と映像信号入力端子A1の接地側間の接続非接続を検出し、両方の接地側間が接続されている場合は差動非差動切り換え手段B2を開放し音声信号入力端子B1からの映像信号入力電流の流出を防止するとともに、音声信号受信手段B3を差動入力とし正確な信号受信が可能になる。両方の接地側間が接続されていない場合は、差動非差動切り換え手段B2を接続し音声信号受信手段B3を非差動とすることにより、例えば図5の如く音声信号入力端子B1と映像信号入力端子A1にそれぞれ異なる出力機器が接続されている場合であっても、正確な信号受信が可能となる。
【図面の簡単な説明】
【００７１】
【図１】本発明による第１の実施の形態におけるアナログ音声映像入力装置を搭載した入力機器に、既存の出力機器を接続した場合の、回路の概略図である。
【図２】本発明による第１の実施の形態におけるアナログ音声映像入力装置を搭載した入力機器に、既存の音声出力機器を接続した場合の、回路の概略図である。
【図３】本発明による第2の実施の形態におけるアナログ音声映像入力装置を搭載した入力機器に、既存の出力機器と音声出力機器を接続した場合の、回路の概略図である。
【図４】本発明による第3の実施の形態におけるアナログ音声映像入力装置を搭載した入力機器に、既存の出力機器を接続した場合の、回路の概略図である。
【図５】本発明による第3の実施の形態におけるアナログ音声映像入力装置を搭載した入力機器に、既存の出力機器と音声出力機器を接続した場合の、回路の概略図である。
【図６】従来例におけるアナログ音声映像入力装置と出力機器における映像信号電流の経路を示した回路の概略図である。
【符号の説明】
【００７２】
1  出力機器
2  出力機器のシャーシ
3  映像信号送信手段
4  映像信号出力端子
5  映像信号線
6  音声信号送信手段
7  音声信号出力端子
8  音声信号線
9  出力機器の電源
11  供給電流
12  映像出力電流
13  映像往路電流
14  映像入力電流
15  映像流出電流
16  映像復路電流
17  映像流入電流
18  消費電流
21  入力機器のシャーシ電流
22  映像漏洩電流
23  出力機器のシャーシ電流
31  電源経由電流
32  音声流入電流
A1  映像信号入力端子
A2  映像信号終端抵抗
A3  映像信号受信手段
B1  音声信号入力端子
B2  差動非差動切り換え手段
B3  音声信号受信手段
C1  映像信号接続検出手段
D1  入力機器
D2  入力機器のシャーシ
D3  入力機器の電源
E1  入力機器を制御するCPU
F1  音声信号出力機器
G1  接地側端子間接続検出手段
【図１】
2007036704.tif 000003
【図２】
2007036704.tif 000004
【図３】
2007036704.tif 000005
【図４】
2007036704.tif 000006
【図５】
2007036704.tif 000007
【図６】
2007036704.tif 000008